(57)【特許請求の範囲】
【請求項１】
容器内部に収容された塗布材を吐出するための吐出口と、
前記吐出口の近傍に回転可能に設けられ、前記吐出口より吐出された塗布材を保持し塗布面に塗布するための回転体と、を備える塗布具であって、
前記回転体を間に挟む一方の位置に、前記回転体の軸線に沿って複数並設され、一の使用において前記回転体と前記塗布面との間に介在し前記塗布面に直接当たる櫛歯を有する櫛歯部と、
前記回転体を間に挟む他方の位置に、前記回転体の軸線に沿って延在するように設けられ、前記櫛歯部の高さより低い凸部と、を備え、
他の使用において前記回転体が前記塗布面に直接当たるように、前記回転体の軸線方向視において、前記櫛歯部の先端と、前記凸部の先端とを結ぶ線分より外側に、前記回転体の一部が突出することを特徴とする塗布具。
【請求項２】
前記凸部は、前記回転体の軸線に沿って複数並設される櫛歯を有することを特徴とする請求項１に記載の塗布具。
【請求項３】
前記吐出口は、前記回転体の周面の周囲で当該回転体より前記凸部側に設けられることを特徴とする請求項１又は２に記載の塗布具。
【請求項４】
前記回転体は、容器によって両端部を軸支された軸体と、該軸体の両軸支に係る部分の間である外周部から外側に突出するように設けられたブラシ毛とを有することを特徴とする請求項１〜３のいずれか１項に記載の塗布具。
【請求項５】
前記回転体は、容器によって両端部を軸支された軸体と、該軸体の両軸支に係る部分の間である外周部から外側に突出すると共に螺旋を描くように設けられた突条とを有することを特徴とする請求項１〜３のいずれか１項に記載の塗布具。
【発明の詳細な説明】
【技術分野】
【０００１】
本発明は、吐出口から吐出された塗布材を回転可能な回転体で塗布面に塗布するための塗布具に関する。
【背景技術】
【０００２】
従来の塗布材の塗布具としては、例えば特許文献１に記載されたものが知られている。この特許文献１に記載の染毛剤塗布ブラシ（塗布具）は、染毛剤（塗布材）を髪の根元も含めて髪全体に塗布するために用いられる。この染毛剤塗布ブラシは、染毛剤の吐出口の列の両側に沿って対向するように設けられた外側櫛歯部（櫛歯部）と、これらの外側櫛歯部の間で吐出口の前側に配置されて、回転可能に保持された回転櫛歯ブロック（回転体）と、を備え、染毛剤塗布ブラシを用いて染毛する場合に、回転櫛歯ブロックの端部が頭部に最も近づいたときでも、その端部が外側櫛歯部の端部より頭部側に出ないように構成されている。
【０００３】
このような構成により、染毛剤を吐出口を通して回転櫛歯ブロックに押し出した状態で染毛剤塗布ブラシが頭皮に沿わせて動かされると、外側櫛歯部の間に毛髪が導かれ、毛髪との摩擦力により回転櫛歯ブロックが回転し、回転櫛歯ブロックに保持された染毛剤が毛髪に塗布される。
【特許文献１】特開２００２−３４５５４３号公報
【発明の開示】
【発明が解決しようとする課題】
【０００４】
しかしながら、上記の染毛剤塗布ブラシにあっては、回転櫛歯ブロックの端部が、外側櫛歯部の端部より外側に出ないように形成されているため、回転櫛歯ブロックの頭皮等の塗布面に対する接触が妨げられ、回転櫛歯ブロックに保持された染毛剤を頭皮等の塗布面に直接塗布することができないという問題がある。
【０００５】
本発明は、このような問題を解決するために成されたものであり、従来と同様に一の使用では回転体を櫛歯を介して塗布面から離間させて塗布材を塗布することが可能であると共に、他の使用では回転体から塗布面に直接塗布材を塗布することが可能となる塗布具を提供することを目的とする。
【課題を解決するための手段】
【０００６】
本発明による塗布具は、容器内部に収容された塗布材を吐出するための吐出口と、吐出口の近傍に回転可能に設けられ、吐出口より吐出された塗布材を保持し塗布面に塗布するための回転体と、を備える塗布具であって、回転体を間に挟む一方の位置に、回転体の軸線に沿って複数並設され、一の使用において回転体と塗布面との間に介在し塗布面に直接当たる櫛歯を有する櫛歯部と、回転体を間に挟む他方の位置に、回転体の軸線に沿って延在するように設けられ、櫛歯部の高さより低い凸部と、を備え、他の使用において回転体が塗布面に直接当たるように、回転体の軸線方向視において、櫛歯部の先端と、凸部の先端とを結ぶ線分より外側に、回転体の一部が突出することを特徴としている。
【０００７】
このような塗布具によれば、吐出口から塗布材を吐出して回転体に保持させた状態で、一の使用として櫛歯部側が塗布面に当たるように塗布具を傾けて動かすと、回転体は、櫛歯部の裏側に位置し、櫛歯部を間に介して塗布面に直接当たることなく離間した状態で、塗布材を塗布面に塗布することが可能である。また、他の使用として凸部側が塗布面に当たるように塗布具を傾けて動かすと、回転体の一部が塗布面に直接接触し、回転体から塗布材を塗布面に直接塗布することが可能となる。
【０００８】
ここで、上記作用を好適に奏する具体的な構成としては、凸部は、回転体の軸線に沿って複数並設される櫛歯を有することが好適である。
【０００９】
また、吐出口は、回転体の周面の周囲で当該回転体より凸部側に設けられることが好適である。これにより、吐出口から吐出される塗布材を、下側から上側へ回転する回転体の部分ですくいあげる（水車でくみ上げるようにする）ことができるので、従来のように回転体の軸心の真下から塗布材が吐出される場合に比べて、より効率良く塗布材を回転体に保持させることが可能になると共に、回転体及び低い凸部が邪魔にならずに吐出口から吐出された塗布材の量を視認することが可能となり、塗布具の使用性が向上する。また、当該凸部により、凸部側に設けられた吐出口から吐出する塗布材が、これより外側へ流出するのを防止できるので、塗布具の使用性がさらに向上する。
【００１０】
ここで、上記作用を好適に奏する具体的な構成としては、回転体は、容器によって両端部を軸支された軸体と、この軸体の両軸支に係る部分の間である外周部から外側に突出するように設けられたブラシ毛とを有する構成が挙げられる。
【００１１】
同様に、上記作用を好適に奏する具体的な構成としては、回転体は、容器によって両端部を軸支された軸体と、この軸体の両軸支に係る部分の間である外周部から外側に突出すると共に螺旋を描くように設けられた突条とを有する構成が挙げられる。
【発明の効果】
【００１２】
本発明の塗布具によれば、従来と同様に一の使用では回転体を櫛歯を介して塗布面から離間させて塗布材を塗布することが可能であると共に、他の使用では回転体から塗布面に直接塗布材を塗布することが可能となる。
【発明を実施するための最良の形態】
【００１３】
以下、本発明による塗布具の好適な実施形態について図１〜図７を参照しながら説明する。なお、各図において、同一の要素には同一の記号を付し、重複する説明は省略する。
【００１４】
図１〜図５は、本発明の第一実施形態を、図６及び図７は、本発明の第二実施形態を各々示すものである。図１は、本発明の第一実施形態に係る塗布具をその先端に備えた塗布材押出容器を示す一部破断側面図、図２は、塗布材押出容器の先端側正面図、図３は、塗布材押出容器の側面図、図４は、塗布具の断面図、図５は、塗布材押出容器の塗布具を含む先端部の斜視図であり、本実施形態の塗布具は、塗布材を容器内部に収容すると共に適宜使用者の操作により押し出して使用するための塗布材押出容器に対して適用されている。
【００１５】
本実施形態では、塗布材として、特に好適であるとしてヘアーカラー（染毛剤）が用いられているが、これに限定されるものではなく、例えば、アイライナー、アイブロウ、リップライナーや、さらには、リップグロス、リップ、アイカラー、美容液、洗浄液、ネールエナメル、ネールケア溶液、ネールリムーバー、マスカラ、マスカラリムーバー、アンチエイジング、頭髪用化粧料、オーラルケア、マッサージオイル、角栓ゆるめ液、ファンデーション、コンシーラー、スキンクリーム、マーキングペン等の筆記用具等のインク、液状の医薬品、泥状物等を始めとした液状や、ゼリー状、ゲル状、ペースト状を含む練り状等の半固体や軟固形状等の塗布材を用いることが可能である。
【００１６】
図１に示すように、塗布材押出容器１００は、上記塗布材が充填される充填領域を内部に備える本体筒１と、この本体筒１の後端部に回転可能に装着された操作筒２とを使用者が相対回転すると、容器１００内に構成された押出機構としての螺合機構及び回り止め機構に従い、移動体が前進又は後進し、移動体先端のピストンが本体筒１の先端側に向かって繰り出されることで、充填領域の塗布材が先端側に向かって押し出される構成とされている。なお、押出機構は、ラチェット機構を有し移動体及びピストンの前進のみを許容する構成であっても良い。
【００１７】
本体筒１の先端には、本実施形態の特徴を成す塗布具３が装着されている。この塗布具３は、本体筒１内部の充填領域から先端側に押し出された塗布材を塗布するためのものであり、図２及び図５に示すように、その先端面３ａが、塗布材押出容器１００の軸線に対して直交する垂直面とされると共に長円形に構成されている。
【００１８】
塗布具３は、図１及び図４に示すように、その内部に塗布材を先端面３ａに導く吐出孔３ｂを有する。この吐出孔３ｂは、図２に示すように、先端面３ａの長円形の長軸Ｘから短軸Ｙ方向側（第二の櫛歯部３ｆ側；詳しくは後述）に離間すると共に長軸Ｘ方向に延在するように開口されている。さらに、この吐出孔３ｂには、図２及び図４に示すように、先端に直線状の吐出口３ｃを有する例えばゴム等の筒状の弾性体３ｇが装着されている。この弾性体３ｇの吐出口３ｃは、先端面３ａの長軸Ｘと平行に延在する。そして、弾性体３ｇは、後方から塗布材による圧力がかかると、直線状の吐出口３ｃの開口が開くようにして広がって塗布材を吐出口３ｃから外部に吐出し、それ以外のときで例えば落下時などにあっては、吐出口３ｃの開口が狭まって吐出しない弁機構を構成する。
【００１９】
また塗布具３は、図２、図４及び図５に示すように、吐出口３ｃの近傍、詳しくは吐出口３ｃより長軸Ｘ側の上方に、当該吐出口３ｃより吐出された塗布材を保持し塗布面に塗布するためのブラシ（回転体）３ｄを有している。このブラシ３ｄは、容器によって両端部を軸支された軸体３ｈと、軸体３ｈの両軸支に係る部分の間である外周部から外側に突出するように設けられた例えば樹脂製の突起群（ブラシ毛）３ｉとを有する。ブラシ３ｄは、軸体３ｈの軸線が先端面３ａの長軸Ｘ上方に位置するように配置されて当該軸線回りに回転可能とされている。そして、このブラシ３ｄは、吐出口３ｃから吐出される塗布材を、ブラシ３ｄの回転による突起群３ｉの回転により下側から上側へすくいあげる（水車でくみ上げるようにする）ことができるように配置されている。
【００２０】
また、塗布具３は、吐出口３ｃのブラシ３ｄを挟んだ反対側の位置の先端面３ａの縁部に、ブラシ３ｄの軸線に沿って複数並設される櫛歯を有する第一の櫛歯部（櫛歯部）３ｅを備えると共に、第一の櫛歯部３ｅのブラシ３ｄを挟んだ反対側の位置の先端面３ａの縁部に、ブラシ３ｄの軸線に沿って複数並設される櫛歯を有する第二の櫛歯部（凸部）３ｆを備えている。すなわち、第一の櫛歯部３ｅ及び第二の櫛歯部３ｆは、先端面３ａにおいてブラシ３ｄ及び吐出口３ｃを挟むように配置されている。
【００２１】
ここで、第二の櫛歯部３ｆの櫛歯の高さは、図１、図４、図５に示すように、第一の櫛歯部３ｅより低くなるように構成されている。
【００２２】
また、図４に示すように、ブラシ３ｄの軸線方向視において、第一の櫛歯部３ｅの先端と、第二の櫛歯部３ｆの先端とを結ぶ線分Ａより外側に、ブラシ３ｄの一部が突出するように構成されている。
【００２３】
そして、このような構成を有する塗布具３は、図３に示すように、本体筒１の先端部に着脱可能に装着されるキャップ４により覆われ保護される。
【００２４】
このような塗布具３を備える塗布材押出容器１００によれば、使用者の操作により吐出口３ｃから塗布材を吐出してブラシ３ｄに保持させた状態で、使用者が第一の櫛歯部３ｅ側が塗布面に当たるように塗布具３を傾けて動かすと、図４の線分Ｂに示すように、ブラシ３ｄは、第一の櫛歯部３ｅの裏側に位置し、第一の櫛歯部３ｅを間に介して塗布面に直接当たることなく離間した状態で、塗布材を塗布面に塗布することができる。
【００２５】
また、使用者が第二の櫛歯部３ｆ側が塗布面に当たるように塗布具３を傾けて動かすと、図４の線分Ａに示すように、ブラシ３ｄの一部が塗布面に直接接触し、ブラシ３ｄから塗布材を塗布面に直接塗布することができる。
【００２６】
従って、本実施形態の塗布具３によれば、従来と同様に一の使用ではブラシ３ｄを塗布面から所定の距離だけ離間させて塗布材を塗布することが可能であると共に、他の使用ではブラシ３ｄから塗布材を塗布面に直接塗布することが可能となる。
【００２７】
また、本実施形態の塗布材押出容器１００によれば、吐出口３ｃは、ブラシ３ｄの周面の周囲でこのブラシ３ｄより第二の櫛歯部３ｆ側に設けられているため、吐出口３ｃから吐出される塗布材を、下側から上側へ回転するブラシ３ｄの突起群３ｉですくいあげる（水車でくみ上げるようにする）ことができるので、従来のようにブラシ３ｄの軸心の真下から塗布材が吐出される場合に比べて、より効率良く塗布材をブラシ３ｄに保持させることが可能になると共に、ブラシ３ｄ及び低い第二の櫛歯部３ｆが邪魔にならずに吐出口３ｃから吐出された塗布材の量を視認することが可能となり、塗布具３の使用性が向上する。また、第二の櫛歯部３ｆにより、吐出口３ｃから吐出する塗布材が、これより外側へ流出するのを防止できる（塞ぎ止めることができる）ので、塗布具３の使用性がさらに向上する。
【００２８】
図６は、本発明の第二実施形態に係る塗布具をその先端に備えた塗布材押出容器の先端側正面図、図７は、図６に示す塗布材押出容器の先端部の斜視図であり、それぞれ第一実施形態の図２及び図５に対応する図である。
【００２９】
この第二実施形態の塗布材繰出容器２００が第一実施形態の塗布材繰出容器１００と違う点は、ブラシ３ｄに代えて、容器によって両端部を軸支された軸体３ｊと、この軸体３ｊの両軸支に係る部分の間である外周部から外側に突出すると共に螺旋を描くように設けられた突条３ｋとを有するブラシ３ｍを用いた点である。
【００３０】
このような第二実施形態の塗布材押出容器２００にあっても、第一実施形態の塗布材押出容器１００と同様な効果を得ることができ、加えて、突起群３ｉに比して、螺旋の突条３ｋの方が、例えば髪の毛が絡まり難いという利点がある。
【００３１】
以上、本発明をその実施形態に基づき具体的に説明したが、本発明は上記実施形態に限定されるものではない。例えば、第二の櫛歯部３ｆは、ブラシ３ｄの軸線に沿って延在するように設けられ、その高さが第一の櫛歯部３ｅのものより低ければ、櫛歯をもたない凸形状としてもよい。
【００３２】
また、吐出口３ｃは、ブラシ３ｄの軸線の真下になるように設けてもよい。
【００３３】
また、ブラシは、鋼線の２つの分枝間に毛材の層を配置してこれらを捩ることによって作られた、所謂スクリューブラシでもよい。
【００３４】
また、上記実施形態では、塗布材押出容器１００，２００の押出機構を本体筒１と操作筒２との回転式としたが、例えば、ノック式の押出機構等でもよく、さらには、チューブやソフトボトル等の単純なスクイーズ式の塗布材押出容器であってもよい。
【図面の簡単な説明】
【００３５】
【図１】本発明の第一実施形態に係る塗布具をその先端に備えた塗布材押出容器を示す一部破断側面図である。
【図２】塗布材押出容器の先端側正面図である。
【図３】塗布材押出容器の側面図である。
【図４】塗布具の断面図である。
【図５】塗布材押出容器の塗布具を含む先端部の斜視図である。
【図６】本発明の第二実施形態に係る塗布具をその先端に備えた塗布材押出容器の先端側正面図である。
【図７】図６に示す塗布材押出容器の先端部の斜視図である。
【符号の説明】
【００３６】
３…塗布具、３ｃ…吐出口、３ｄ，３ｍ…ブラシ（回転体）、３ｅ…第一の櫛歯部（櫛歯部）、３ｆ…第二の櫛歯部（凸部）、３ｈ，３ｊ…軸体、３ｉ…突起群（ブラシ毛）、３ｋ…突条、１００，２００…塗布材押出容器。
【図１】
0005275664.tif 000002
【図２】
0005275664.tif 000003
【図３】
0005275664.tif 000004
【図４】
0005275664.tif 000005
【図５】
0005275664.tif 000006
【図６】
0005275664.tif 000007
【図７】
0005275664.tif 000008